(57)【特許請求の範囲】
【請求項１】
ＩＰデータが重畳された放送信号を受信する受信機と、
受信機からのデータを端末に中継する中継機と、
前記中継機からデータを取得する端末とを備え
前記受信機は、前記放送信号を復調して放送データを生成し、当該放送データ、前記放送データを解析して抽出した単語および前記ＩＰデータを前記中継機に送信し、
前記中継機は、
前記受信機から前記放送データ、前記単語および前記ＩＰデータを受信し、
前記放送データを前記端末に送信し、
前記放送データを解析することによって得られた前記単語および前記ＩＰデータに基づいて、外部サーバから前記放送データに関連するコンテンツを取得し、当該コンテンツを前記端末に送信し、
前記端末は、
前記放送データおよび前記コンテンツを画面に表示し、
前記放送データが災害情報番組を含む場合において、位置情報取得部または予め登録された情報に基づいて、前記端末の位置情報を取得し、
前記ＩＰデータおよび前記端末の位置情報に基づいて、前記中継機を介して、前記外部サーバから避難用のコンテンツを取得し、
前記画面に、前記災害情報番組および前記避難用のコンテンツを同時に表示し、
前記避難用のコンテンツは、自宅周辺の地図と、自宅の位置情報と、避難場所の地点と、避難ルートとを含む、情報表示システム。
【請求項２】
ＩＰデータが重畳された放送信号を受信する受信機と、
受信機からのデータを端末に中継する中継機と、
前記中継機からデータを取得する端末とを備え
前記受信機は、前記放送信号を復調して放送データを生成し、当該放送データ、前記放送データを解析して抽出した単語および前記ＩＰデータを前記中継機に送信し、
前記中継機は、
前記受信機から前記放送データ、前記単語および前記ＩＰデータを受信し、
前記放送データを前記端末に送信し、
前記放送データを解析することによって得られた前記単語および前記ＩＰデータに基づいて、外部サーバから前記放送データに関連するコンテンツを取得し、当該コンテンツを前記端末に送信し、
前記端末は、
前記放送データおよび前記コンテンツを画面に表示し、
前記放送データが旅行番組を含む場合において、位置情報取得部または予め登録された情報に基づいて、前記端末の位置情報を取得し、
前記ＩＰデータおよび前記端末の位置情報に基づいて、前記中継機を介して、前記外部サーバから旅行番組に関連するコンテンツを取得し、
前記画面に、前記旅行番組および前記旅行番組に関連するコンテンツを同時に表示し、
前記旅行番組に関連するコンテンツは、自宅から目的地までのルート情報を含む、情報表示システム。
【発明の詳細な説明】
【技術分野】
【０００１】
本発明は、情報を表示する情報表示システムに関する。
【背景技術】
【０００２】
近年、放送と通信を連携させたサービスであるハイブリッドキャスト（Hybridcast（登録商標））が開始されている（例えば、特許文献１参照）。
【０００３】
デジタル放送波には映像や音声の情報とは別に、現在の視聴番組に関連したハイブリッドキャスト対応アプリケーションに関する情報を含めることができる。
【０００４】
しかしながら、アプリケーションを実行するためには、現在使用しているＴＶ装置にアプリケーションをインストールする必要がある。
【先行技術文献】
【特許文献】
【０００５】
【特許文献１】特開２０１３−８５１３９号公報
【発明の概要】
【発明が解決しようとする課題】
【０００６】
一方で、ユーザは固定で備え付けられたＴＶ装置ではなく、携帯可能な端末でデジタル放送波を視聴したいという要求がある。さらに、通信により付加的な情報も取得したいという要求もある。
【０００７】
本発明は、上記の課題を解決するためになされたものであって、ユーザの利便性に供する情報表示システムを提供することを目的とする。
【課題を解決するための手段】
【０００８】
本発明のある局面に従う情報表示システムは、ＩＰデータが重畳された放送波信号を受信する受信機と、端末と、受信機で受信された放送波信号を中継して端末に送信する中継機とを備える。端末は、受信機により受信された放送波信号に重畳されたＩＰデータに基づく情報を中継機を介してネットワークと接続された外部サーバから取得するデータ取得部と、受信機により受信された放送波信号に基づく画像とともに、データ取得部で取得した画像に関連付けられた情報を表示する表示部とを含む。
【０００９】
好ましくは、受信機は、放送波信号に重畳されたＩＰデータを抽出する。中継機は、受信機で抽出したＩＰデータに基づいてネットワークと接続された外部サーバから情報を取得して端末に出力する。
【００１０】
好ましくは、端末は、放送波信号に含まれている文章データを解析し、解析結果に基づいて文章データに含まれている単語データを抽出する解析部をさらに含む。データ取得部は、外部サーバからＩＰデータおよび抽出した単語データに基づいて画像に関連付けられた情報を取得する。
【００１１】
好ましくは、データ取得部は、受信機により受信された放送波信号に重畳されたＩＰデータに基づき地図情報を中継機を介してネットワークと接続された外部サーバから取得する。表示部は、データ取得部で取得した地図情報を画像に連動して表示する。
【００１２】
好ましくは、端末は、端末の位置情報を取得する位置情報取得部をさらに含む。データ取得部は、外部サーバからＩＰデータおよび取得した位置情報に基づいて画像に関連付けられた情報を取得する。
【００１３】
本発明の別の局面に従う情報表示システムは、放送波信号を受信する受信機と、端末と、受信機で受信された放送波信号を中継して端末に送信する中継機とを備える。端末は、受信機により受信された放送波信号に含まれている文書データを解析し、解析結果に基づいて放送波信号の種別および文章データに含まれている単語データを抽出する解析部と、解析部の解析結果に基づいて放送波信号の種別に対応するアクセスする外部サーバを指定するアドレス情報および文書データに含まれている単語データに基づいて中継機を介してネットワークと接続された外部サーバから情報を取得するデータ取得部と、受信機により受信された放送波信号に基づく画像とともに、データ取得部で取得した情報を表示する表示部とを含む。
【発明の効果】
【００１４】
本発明の情報表示システムは、ユーザの利便性に供する。
【図面の簡単な説明】
【００１５】
【図１】実施形態１に基づく情報表示システム１の構成について説明する図である。
【図２】実施形態１に基づく表示部３２の構成について説明する図である。
【図３】実施形態１に基づく表示部３２の表示例を説明する図である。
【図４】実施形態１に基づく受信機１０の処理の流れを説明するフロー図である。
【図５】実施形態１に基づく中継機２０の処理の流れを説明するフロー図である。
【図６】実施形態１に基づく端末３０の処理の流れを説明するフロー図である。
【図７】実施形態２に基づく表示部３２の表示例を説明する図である。
【図８】実施形態２に基づく端末３０の処理の流れを説明するフロー図である。
【図９】実施形態３に基づく受信機１０の処理の流れを説明するフロー図である。
【図１０】実施形態３に基づく中継機２０の処理の流れを説明するフロー図である。
【図１１】実施形態３に基づく端末３０の処理の流れを説明するフロー図である。
【図１２】実施形態４に基づく表示部３２の表示例を説明する図である。
【図１３】実施形態４に基づく端末３０の処理の流れを説明するフロー図である。
【図１４】実施形態５に基づく端末３０の処理の流れを説明するフロー図である。
【図１５】実施形態５に基づく放送種別とＵＲＬとの対応テーブルを説明する図である。
【発明を実施するための形態】
【００１６】
以下、図面を参照しつつ、本発明の実施の形態について説明する。以下の説明では、同一または対応する要素には同一の符号を付して、それらについての詳細な説明は繰り返さない。
【００１７】
（実施形態１）
＜Ａ．全体構成＞
図１は、実施形態１に基づく情報表示システム１の構成について説明する図である。
【００１８】
図１を参照して、情報表示システム１は、受信機１０と、中継機２０と、端末３０と、外部サーバ４０とを含む。
【００１９】
受信機１０は、アンテナ１１と、チューナ１２と、ＣＰＵ（Central Processing Unit）１４と、通信部１６とを含む。
【００２０】
アンテナ１１は、放送局から送信されたデジタル放送信号を受信する。
デジタル放送信号の放送プロトコルとしては、ＭＰＥＧ（Moving Picture Expert Group）２−ＴＳ（トランスポートストリーム）が使用される。ＴＳは、多重化されるとともにＯＦＤＭ（Orthogonal Frequency Division Multiplexing）によりデジタル変調されて放送局からデジタル放送信号として送出される。なお、ＴＳ信号の構成、ならびに、ＯＦＤＭによる多重化およびデジタル変調は、公知であるのでその詳細な説明はここでは繰り返さない。
【００２１】
デジタル放送信号は、放送データとともに、重畳された、任意のアプリケーションあるいはコンテンツ（たとえば画像、音声あるいは文字）のデータが、ＩＰデータとして含まれる。これにより、いわゆるＩＰＤＣ（IP Data Cast）が行なわれる。ＩＰデータとしてアプリケーションを制御する制御データやネットワークを介してアクセスする外部サーバのアドレス情報（ＵＲＬ）も含まれる。
【００２２】
チューナ１２は、アンテナ１１を介してデジタル放送信号（単に放送信号とも称する）を受信するとともに、デジタル復調したＴＳ信号を取得する。デジタル復調したＴＳ信号に従って放送データを再生し、放送データに基づく放送の視聴が可能となる。また、チューナ１２は、デジタル放送信号に含まれるデジタル復調したＴＳ信号をＩＰデータに変換する。
【００２３】
通信部１６は、中継機２０と通信可能に設けられる。
ＣＰＵ１４は、受信機１０全体を制御し、チューナ１２でデジタル復調した放送データとＩＰデータとを通信部１６を介して中継機２０に送信する。
【００２４】
なお、受信機１０は、デジタル放送信号が暗号化がされている場合には、暗号化されたデジタル放送信号を復号化する処理機能も有している。
【００２５】
中継機２０は、ＣＰＵ２４と、通信部２６とを含む。
ＣＰＵ２４は、中継機２０全体を制御し、例えば受信機１０から送信されたデータを端末３０に中継する処理等を行う。
【００２６】
通信部２６は、受信機１０および端末３０と通信可能に設けられる。また、通信部２６は、ネットワークを介して外部サーバ４０とも通信可能に設けられる。
【００２７】
ＣＰＵ２４は、通信部２６を介して受信した受信機１０からの放送データとＩＰデータとを中継して端末３０に送信する。
【００２８】
端末３０は、携帯可能に設けられており、表示部３２と、操作部３３と、ＣＰＵ３４と、通信部３６と、メモリ３８とを含む。
【００２９】
表示部３２の一例として液晶ディスプレイ、有機ＥＬ（エレクトロルミネッセンス）ディスプレイ等が挙げられる。
【００３０】
ＣＰＵ３４は、端末３０全体を制御する。
通信部３６は、中継機２０と通信可能に設けられる。
【００３１】
メモリ３８は、端末３０が動作するために必要な各種プログラムを格納している。
ＣＰＵ３２は、中継機２０を介して受信した放送データに基づく画像を表示部３２に表示する。また、中継機２０を介して受信したＩＰデータに基づく情報を表示部３２に画像とともに表示する。
【００３２】
操作部３３は、タッチパネルやキーボード等であり、ユーザからの操作の指示を受け付ける。受け付けた入力は、ＣＰＵ３４に出力される。
【００３３】
＜Ｂ．端末３０の表示部３２の構成＞
図２は、実施形態１に基づく表示部３２の構成について説明する図である。
【００３４】
図２を参照して、表示部３２は、第１表示領域３２Ａと、第２表示領域３２Ｂとを含む。本例においては、一例として第１表示領域３２Ａに放送データに基づく画像を表示する。また、第２表示領域３２ＢにＩＰデータに基づく情報を表示する。第２表示領域３２Ｂに表示される情報は、第１表示領域３２Ａに表示される画像に関連付けられた情報である。
【００３５】
当該表示方式により放送データに基づく画像とともに、当該画像に関連付けられたＩＰデータに基づく情報を表示することが可能であるためデジタル放送波を視聴しながら、通信により付加的な情報も取得することが可能である。
【００３６】
＜ｂ１．実施形態１に基づく表示部３２の表示例＞
図３は、実施形態１に基づく表示部３２の表示例を説明する図である。
【００３７】
図３（ａ）には、表示部３２の表示例（その１）が示されている。
具体的には、第１表示領域３２Ａに映画のコンテンツ１００Ａが表示されるともに第２表示領域３２Ｂにレンタルサイト１００Ｂが表示されている場合が示されている。
【００３８】
レンタルサイト１００Ｂは、映画のコンテンツ１００Ａに関するＤＶＤ等をレンタル可能なウェブサイトである。一例としてＩＰデータにアクセスするウェブサイトのアドレス情報（ＵＲＬ）が含まれており、当該アドレス情報を用いてウェブサイトを表示することが可能である。
【００３９】
当該表示方式により映画のコンテンツ１００Ａを視聴しながら、ユーザは、ＤＶＤ等のレンタルを希望する場合には同じ画面に表示されているレンタルサイト１００Ｂからレンタルの申し込みを行うことが可能である。
【００４０】
なお、レンタルサイト１００Ｂには、映画のコンテンツ１００Ａと同一の内容のＤＶＤ等が検索された状態で表示されることが望ましい。なお、同一の内容に限られず関連する内容のＤＶＤ等も表示されるようにしても良い。
【００４１】
また、映画に限られず音楽等のコンテンツについても同様に適用可能である。
図３（ｂ）を参照して、表示部３２の表示例（その２）が示されている。
【００４２】
具体的には、第１表示領域３２Ａに教育番組のコンテンツ１００Ｃが表示されるともに第２表示領域３２Ｂに書籍サイト１００Ｄが表示されている場合が示されている。
【００４３】
書籍サイト１００Ｄは、コンテンツ１００Ｃに関する書籍等を購入可能なウェブサイトである。一例としてＩＰデータにアクセスするウェブサイトのアドレス情報（ＵＲＬ）が含まれており、当該アドレス情報を用いてウェブサイトを表示することが可能である。
【００４４】
なお、書籍サイト１００Ｄには、教育番組のコンテンツ１００Ａと同一の内容の書籍等が検索された状態で表示されることが望ましい。なお、同一の内容に限られず関連する内容の書籍等も表示されるようにしても良い。
【００４５】
図３（ｃ）を参照して、表示部３２の表示例（その３）が示されている。
具体的には、第１表示領域３２Ａに広告番組のコンテンツ１００Ｅが表示されるともに第２表示領域３２Ｂにショッピングサイト１００Ｆが表示されている場合が示されている。
【００４６】
ショッピングサイト１００Ｆは、コンテンツ１００Ｅに関する広告商品を購入可能なウェブサイトである。一例としてＩＰデータにアクセスするウェブサイトのアドレス情報（ＵＲＬ）が含まれており、当該アドレス情報を用いてウェブサイトを表示することが可能である。
【００４７】
なお、ショッピングサイト１００Ｆには、コンテンツ１００Ｅに関する広告商品と同一の内容の商品等が検索された状態で表示されることが望ましい。なお、同一の内容に限られず関連する商品等も表示されるようにしても良い。
【００４８】
図３（ｄ）を参照して、表示部３２の表示例（その４）が示される。
具体的には、第１表示領域３２Ａに旅行番組のコンテンツ１００Ｇが表示されるともに第２表示領域３２Ｂに地図１００Ｈが表示されている場合が示されている。
【００４９】
また、地図１００Ｈには、Ａ地点、Ｂ地点、Ｃ地点が示されるとともにそのルートも表示されている。一例としてＩＰデータにアクセスするウェブサイトのアドレス情報（ＵＲＬ）が含まれており、当該アドレス情報を用いて地図サイトを表示することが可能である。そして、ＩＰデータに特定の地点を示す位置情報を含めることにより、例えば、旅行番組のコンテンツ１００Ｇの内容に合わせて地図１００Ｈにおける移動地点を表示させて移動ルートや移動状況を容易に把握できるようにすることが可能である。
【００５０】
＜Ｃ．処理フロー＞
＜ｃ１．受信機１０の処理フロー＞
図４は、実施形態１に基づく受信機１０の処理の流れを説明するフロー図である。
【００５１】
図４に示されるように、受信機１０は、放送信号を受信する（ステップＳ２）。具体的には受信機１０は、アンテナ１１を介して放送局から送出された放送信号を受信する。
【００５２】
次に、受信機１０は、復調処理を実行する（ステップＳ４）。具体的には、チューナ１２は、アンテナ１１を介して受信した放送信号の復調処理を実行する。なお、復調処理において暗号化された放送信号を復号処理を実行するようにしても良い。
【００５３】
次に、受信機１０は、中継機にデータを送信する（ステップＳ８）。具体的には、ＣＰＵ１４は、復調処理された放送データとＩＰデータとを通信部１６を介して中継機２０に送信する。
【００５４】
そして、処理を終了する（エンド）。
＜ｃ２．中継機２０の処理フロー＞
図５は、実施形態１に基づく中継機２０の処理の流れを説明するフロー図である。
【００５５】
図５に示されるように、中継機２０は、放送データとＩＰデータとを受信する（ステップＳ１０）。中継機２０の通信部２６は、受信機１０から送信された放送データとＩＰデータとを受信する。
【００５６】
次に、中継機２０は、受信機１０からデータを受信したか否かを判断する（ステップＳ１１）。中継機２０のＣＰＵ２４は、通信部２６を介して受信機１０からデータを受信したか否かを判断する。
【００５７】
ステップＳ１１において、中継機２０は、受信機１０からデータを受信したと判断した場合（ステップＳ１１においてＹＥＳ）には、端末３０に送信する（ステップＳ１２）。具体的には、中継機２０は、放送データとＩＰデータとを通信部２６を介して端末３０に送信する。
【００５８】
そして、処理を終了する（エンド）。
一方、ステップＳ１１において、中継機２０は、受信機１０からデータを受信していないと判断した場合（ステップＳ１１においてＮＯ）には、端末３０から受信したかどうかを判断する（ステップＳ１３）。中継機２０のＣＰＵ２４は、通信部２６を介して端末３０からデータを受信したか否かを判断する。
【００５９】
ステップＳ１３において、中継機２０は、端末３０からデータを受信したと判断した場合（ステップＳ１３においてＹＥＳ）には、ＩＰデータに基づいて外部サーバ４０に情報を要求する（ステップＳ１４）。具体的には、ＣＰＵ２４は、ＩＰデータ（例えばＵＲＬ）に基づいて外部サーバ４０にアクセスして、外部サーバ４０からの情報を要求する。
【００６０】
そして、中継機２０は、外部サーバ４０から情報を取得する（ステップＳ１５）。具体的には、ＣＰＵ２４は、通信部２６を介してネットワークと接続された外部サーバ４０からの情報を取得する。
【００６１】
次に、中継機２０は、受信した放送データとＩＰデータとを端末に送信する（ステップＳ１２）。ＣＰＵ２４は、放送データとＩＰデータとを中継して通信部２６を介して端末３０に送信する。
【００６２】
そして、処理を終了する。
＜ｃ３．端末３０の処理フロー＞
図６は、実施形態１に基づく端末３０の処理の流れを説明するフロー図である。
【００６３】
図６に示されるように、端末３０は、放送データとＩＰデータとを受信する（ステップＳ２０）。具体的には、端末３０の通信部３６は、中継機２０から送信された放送データとＩＰデータとを受信する。
【００６４】
次に、端末３０は、ＩＰデータを中継機２０に送信する（ステップＳ２２）。ＣＰＵ３４は、通信部３６を介して中継機２０にＩＰデータを送信する。たとえば、ＣＰＵ３４は、外部サーバ４０からの情報を取得するためにＩＰデータ（外部サーバ４０のアドレス情報（ＵＲＬ））を中継機２０に送信する。
【００６５】
次に、端末３０は、中継機２０からの応答が有ったかどうかを判断する（ステップＳ２３）。具体的には、ＣＰＵ３４は、通信部３６を介して中継機２０からＩＰデータに対する応答（外部サーバ４０からの情報）を受信したか否かを判断する。
【００６６】
端末３０は、中継機２０からの応答があるまでその状態を維持し、応答が有った場合にはステップＳ２４に進む。
【００６７】
端末３０は、中継機２０からの情報を取得する（ステップＳ２４）。具体的には、ＣＰＵ３４は、通信部３６を介して中継機２０からの情報を取得する。
【００６８】
次に、端末３０は、放送データに基づく画像および情報を表示する（ステップＳ２６）。具体的には、ＣＰＵ３４は、表示部３２の第１表示領域３２Ａに放送データに基づく画像を表示するとともに、第２表示領域３２Ｂに取得した情報を表示する。
【００６９】
そして、処理を終了する（エンド）。
なお、上記においては、ＩＰデータの一例としてアクセスする外部サーバ４０のアドレス情報（ＵＲＬ）を含む構成について説明したが、これに限られず他の情報を含めるようにしても良い。たとえば、外部サーバ４０のサイトで検索するために必要なキーワードを含めて、アドレス情報（ＵＲＬ）とともに中継機２０に送信するようにしても良い。これにより端末３０は、外部サーバ４０のサイトで検索されたページを表示して有用な情報を取得することが可能である。
【００７０】
当該表示方式により放送データに基づく画像とともに、当該画像に関連付けられたＩＰデータに基づく情報、例えば外部サーバのサイト等を表示することが可能であるためデジタル放送波を視聴しながら、通信により付加的な情報も取得することが可能である。
【００７１】
なお、デジタル放送信号に重畳されるＩＰデータは、所定期間毎に表示部３２の表示が更新されるようにデジタル放送信号を送出する放送局側で調整するようにしても良いし、情報表示システム側で調整するようにすることも可能である。
【００７２】
（実施形態２）
＜ｂ２．実施形態２に基づく表示部３２の表示例＞
図７は、実施形態２に基づく表示部３２の表示例を説明する図である。
【００７３】
図７には、表示部３２の表示例（その５）が示されている。
具体的には、第１表示領域３２Ａにニュース番組のコンテンツ１１０Ａが表示されるともに第２表示領域３２Ｂに検索エンジンにより検索した検索結果１１０Ｂが表示されている場合が示されている。
【００７４】
検索エンジンは、種々の検索エンジンを利用することが可能であり、複数の検索エンジンの検索結果を合成して表示するようにしても良い。
【００７５】
本例においては、キーワードを利用して検索エンジンで検索した検索結果が示されている。たとえば、ニュース番組の場合に、当該ニュース番組に関連する検索結果が示されることにより付加的な情報を容易に取得することが可能である。また、複数のキーワードを組み合わせて情報を絞り込むことによりユーザの利便性を向上させることが可能である。
【００７６】
実施形態２においては、端末３０において放送データを解析して、解析して抽出した単語（キーワード）とＩＰデータとを中継機２０に送信する。
【００７７】
中継機２０は、当該情報を受けてネットワークと接続された外部サーバ４０にアクセスして情報を取得する。そして、中継機２０は、外部サーバ４０から取得した情報を端末３０に送信する。
【００７８】
＜ｃ４．端末３０の処理フロー＞
図８は、実施形態２に基づく端末３０の処理の流れを説明するフロー図である。
【００７９】
図８に示されるように、端末３０は、放送データとＩＰデータとを受信する（ステップＳ２）。具体的には、端末３０の通信部３６は、中継機２０から送信された放送データとＩＰデータとを受信する。
【００８０】
次に、端末３０は、放送データを解析する（ステップＳ３０）。ＣＰＵ３４は、放送データに含まれている文字放送のデータを取得して解析する。
【００８１】
次に、端末３０は、単語（キーワード）を抽出する（ステップＳ３１）。ＣＰＵ３４は、解析結果に基づいて単語（キーワード）を抽出する。複数の単語が抽出される場合には、優先順位の高い単語（キーワード）を抽出するようにしても良い。なお、優先順位は予め格納されている優先順位を決定するテーブル等を用いて決定するようにすればよい。あるいは検索数の多い単語（キーワード）を優先順位が高いと判断するようにしても良い。検索数の多い単語（キーワード）については公知の外部サーバあるいはアプリケーション等に基づいて取得することが可能である。
【００８２】
なお、本例においては、１つの単語（キーワード）を抽出する場合を例として説明するが、特にこれに限られず複数の単語を抽出するようにしても良い。
【００８３】
次に、端末３０は、ＩＰデータおよび単語を中継機２０に送信する（ステップＳ３２）。ＣＰＵ３４は、通信部３６を介して中継機２０にＩＰデータおよび単語を送信する。たとえば、ＣＰＵ３４は、外部サーバ４０からの情報を取得するためにＩＰデータ（外部サーバ４０のアドレス情報（ＵＲＬ））および単語（キーワード）を中継機２０に送信する。
【００８４】
中継機２０は、端末３０からのＩＰデータ（アドレス情報（ＵＲＬ））と単語（キーワード）とに基づいて外部サーバ４０にアクセスし、単語（キーワード）を利用した検索結果となる情報を取得する。たとえば、中継機２０は、検索エンジンを用いた検索結果を取得する。
【００８５】
次に、端末３０は、中継機２０からの応答が有ったかどうかを判断する（ステップＳ２３）。ＣＰＵ３４は、通信部３６を介して中継機２０からの情報を取得したかどうかを判断する。
【００８６】
端末３０は、中継機２０からの応答があるまでその状態を維持し、応答が有った場合にはステップＳ２４に進む。
【００８７】
端末３０は、中継機２０からの情報を取得する（ステップＳ２４）。具体的には、ＣＰＵ３４は、通信部３６を介して中継機２０からの情報を取得する。
【００８８】
次に、端末３０は、放送データに基づく画像および情報を表示する（ステップＳ２６）。具体的には、ＣＰＵ３４は、表示部３２の第１表示領域３２Ａに放送データに基づく画像を表示するとともに、第２表示領域３２Ｂに取得した情報を表示する。
【００８９】
そして、処理を終了する（エンド）。
当該表示方式により放送データに基づく画像とともに、当該画像に関連付けられたＩＰデータに基づく情報、例えば外部サーバのサイト等を表示することが可能であるためデジタル放送波を視聴しながら、通信により付加的な情報も取得することが可能である。
【００９０】
なお、本例においては、端末３０において、１つの単語（キーワード）を抽出する場合について説明したが、複数の単語（キーワード）が抽出される場合には、その候補を表示部３２に表示して、ユーザに選択させるようにしても良い。そして、ユーザが選択した単語（キーワード）とアドレス情報（ＵＲＬ）を中継機２０に送信する。中継機２０は、端末３０からのＩＰデータ（アドレス情報（ＵＲＬ））と単語（キーワード）とに基づいて外部サーバ４０にアクセスし、単語（キーワード）を利用した検索結果となる情報を取得する。たとえば、中継機２０は、検索エンジンを用いたユーザが選択した単語（キーワード）に対する検索結果を取得する。これによりユーザの好みに応じた検索結果の情報を取得することが可能である。
【００９１】
（実施形態３）
上記の実施形態２においては、端末３０において、放送データを解析する場合について説明したが、受信機１０側で実行するようにしても良い。
【００９２】
＜ｃ５．受信機１０の処理フロー＞
図９は、実施形態３に基づく受信機１０の処理の流れを説明するフロー図である。
【００９３】
図９に示されるように、受信機１０は、放送信号を受信する（ステップＳ２）。具体的には受信機１０は、アンテナ１１を介して放送局から送出された放送信号を受信する。
【００９４】
次に、受信機１０は、復調処理を実行する（ステップＳ４）。具体的には、チューナ１２は、アンテナ１１を介して受信した放送信号の復調処理を実行する。なお、復調処理において暗号化された放送信号を復号処理を実行するようにしても良い。
【００９５】
次に、受信機１０は、放送データを解析する（ステップＳ５）。ＣＰＵ１４は、放送データに含まれている文字放送のデータを取得して解析する。
【００９６】
次に、受信機１０は、単語（キーワード）を抽出する（ステップＳ７）。ＣＰＵ１４は、解析結果に基づいて単語（キーワード）を抽出する。複数の単語が抽出される場合には、優先順位の高い単語（キーワード）を抽出するようにしても良い。なお、優先順位は予め格納されている優先順位を決定するテーブル等を用いて決定するようにすればよい。あるいは検索数の多い単語（キーワード）を優先順位が高いと判断するようにしても良い。検索数の多い単語（キーワード）については公知の外部サーバあるいはアプリケーション等に基づいて取得することが可能である。
【００９７】
なお、本例においては、１つの単語（キーワード）を抽出する場合を例として説明するが、特にこれに限られず複数の単語を抽出するようにしても良い。
【００９８】
次に、受信機１０は、中継機２０にデータを送信する（ステップＳ８）。具体的には、ＣＰＵ１４は、復調処理された放送データとＩＰデータと単語（キーワード）を通信部１６を介して中継機２０に送信する。
【００９９】
そして、処理を終了する（エンド）。
＜ｃ６．中継機２０の処理フロー＞
図１０は、実施形態３に基づく中継機２０の処理の流れを説明するフロー図である。
【０１００】
図１０に示されるように、中継機２０は、放送データとＩＰデータと単語（キーワード）を受信する（ステップＳ１０）。中継機２０の通信部２６は、受信機１０から送信された放送データとＩＰデータと、単語（キーワード）を受信する。
【０１０１】
次に、中継機２０は、ＩＰデータおよび単語（キーワード）に基づいて外部サーバ４０に情報を要求する（ステップＳ１６）。具体的には、ＣＰＵ２４は、ＩＰデータ（例えばＵＲＬ）に基づいて外部サーバ４０にアクセスして、外部サーバ４０からの情報を要求する。その際、単語（キーワード）を利用した検索結果となる情報を取得する。たとえば、中継機２０は、検索エンジンを用いた検索結果を取得する。
【０１０２】
そして、中継機２０は、外部サーバ４０から情報を取得する（ステップＳ１７）。具体的には、ＣＰＵ２４は、通信部２６を介してネットワークと接続された外部サーバ４０からの情報を取得する。
【０１０３】
次に、中継機２０は、受信した放送データとＩＰデータに基づく情報とを端末に送信する（ステップＳ１８）。ＣＰＵ２４は、放送データとＩＰデータに基づく情報とを通信部２６を介して端末３０に送信する。
【０１０４】
そして、処理を終了する。
＜ｃ７．端末３０の処理フロー＞
図１１は、実施形態３に基づく端末３０の処理の流れを説明するフロー図である。
【０１０５】
図１１に示されるように、端末３０は、放送データとＩＰデータに基づく情報とを受信する（ステップＳ２０）。具体的には、端末３０の通信部３６は、中継機２０から送信された放送データとＩＰデータに基づく情報とを受信する。
【０１０６】
次に、端末３０は、放送データに基づく画像および情報を表示する（ステップＳ２６）。具体的には、ＣＰＵ３４は、表示部３２の第１表示領域３２Ａに放送データに基づく画像を表示するとともに、第２表示領域３２Ｂに取得した情報を表示する。
【０１０７】
そして、処理を終了する（エンド）。
当該表示方式により放送データに基づく画像とともに、当該画像に関連付けられたＩＰデータに基づく情報、例えば外部サーバのサイト等を表示することが可能であるためデジタル放送波を視聴しながら、通信により付加的な情報も取得することが可能である。
【０１０８】
また、当該処理においては、受信機１０で放送データを解析し、中継機２０でＩＰデータと単語（キーワード）とを用いて外部サーバ４０からの情報を取得する方式であるため、中継機２０と端末３０との間で情報をやり取りする時間が短縮されて、外部サーバ４０からの情報を早期に端末３０に送信することが可能である。
【０１０９】
これにより効率的に外部サーバ４０からの情報を端末３０に表示することが可能である。
【０１１０】
また、実施形態１の方式においても同様に適用可能であり、中継機２０は、受信機１０からＩＰデータを受信して、それに基づいて外部サーバ４０にアクセスして情報を取得するようにしても良い。
【０１１１】
（実施形態４）
実施形態４においては、位置情報をさらに利用して情報を表示する場合について説明する。
【０１１２】
＜ｂ３．実施形態４に基づく表示部３２の表示例＞
図１２は、実施形態４に基づく表示部３２の表示例を説明する図である。
【０１１３】
図１２（ａ）には、表示部３２の表示例（その６）が示されている。
具体的には、第１表示領域３２Ａに災害情報番組のコンテンツ１２０Ｃが表示されるともに第２表示領域３２Ｂに地図１２０Ｄが表示されている場合が示されている。
【０１１４】
また、地図１２０Ｄには、Ｄ避難場所、Ｅ避難場所とともに、ユーザの自宅が表示されている場合が示されている。なお、ユーザの自宅とＤ避難場所および／またはＥ避難場所とのルートを表示するようにしても良い。
【０１１５】
一例としてＩＰデータにアクセスする地図を表示するウェブサイトのアドレス情報（ＵＲＬ）が含まれており、当該アドレス情報を用いて地図を表示することが可能である。また、Ｄ避難場所、Ｅ避難場所の地点、および自宅の位置情報を用いて位置関係あるいはルートを表示させることが可能である。Ｄ避難場所、Ｅ避難場所の地点は、ＩＰデータに含まれる情報を利用することが可能である。また、自宅の位置情報は、予め端末３０に格納されている情報を利用することも可能であるし、ＧＰＳ等により取得したものを利用することも可能である。
【０１１６】
また、Ｄ避難場所、Ｅ避難場所等の情報を、ＩＰデータに含めるのではなく、実施形態２で説明したように放送データに含まれている文字放送のデータを取得して解析することにより単語（キーワード）として抽出するようにしても良い。そして、当該単語（キーワード）を位置情報として利用するようにしても良い。
【０１１７】
図１２（ｂ）には、表示部３２の表示例（その７）が示されている。
具体的には、第１表示領域３２Ａに旅行番組のコンテンツ１２０Ｅが表示されるともに第２表示領域３２Ｂに案内サイト１２０Ｆが表示されている場合が示されている。
【０１１８】
案内サイト１２０Ｆは、目的地までの行き方を案内するサイトである。
本例においては、自宅から目的地までの行き方が案内されている場合が示されている。
【０１１９】
一例としてＩＰデータにアクセスする行き方を案内するウェブサイトのアドレス情報（ＵＲＬ）が含まれており、当該アドレス情報とともに、目的地と自宅との情報とを用いて行き方の検索結果を表示することが可能である。
【０１２０】
＜ｃ８．端末３０の処理フロー＞
図１３は、実施形態４に基づく端末３０の処理の流れを説明するフロー図である。
【０１２１】
図１３に示されるように、端末３０は、放送データとＩＰデータとを受信する（ステップＳ２０）。具体的には、端末３０の通信部３６は、中継機２０から送信された放送データとＩＰデータとを受信する。
【０１２２】
次に、端末３０は、位置情報を取得する（ステップＳ４０）。具体的には、端末３０は、ＧＰＳ等を利用して位置情報を取得する。なお、端末３０に予め住所が登録されている場合には当該住所情報を位置情報として利用するようにしても良い。
【０１２３】
次に、端末３０は、ＩＰデータおよび位置情報を中継機２０に送信する（ステップＳ４２）。ＣＰＵ３４は、通信部３６を介して中継機２０にＩＰデータおよち位置情報を送信する。たとえば、ＣＰＵ３４は、外部サーバ４０からの情報を取得するためにＩＰデータ（外部サーバ４０のアドレス情報（ＵＲＬ））および位置情報を中継機２０に送信する。
【０１２４】
中継機２０は、端末３０からのＩＰデータ（アドレス情報（ＵＲＬ））と位置情報とに基づいて外部サーバ４０にアクセスし、位置情報を利用した検索結果となる情報を取得する。たとえば、中継機２０は、地図を表示するウェブサイトを用いた検索結果を取得する。
【０１２５】
次に、端末３０は、中継機２０からの応答が有ったかどうかを判断する（ステップＳ２３）。具体的には、ＣＰＵ３４は、通信部３６を介して中継機２０からＩＰデータに対する応答（外部サーバ４０からの情報）を受信したか否かを判断する。
【０１２６】
端末３０は、中継機２０からの応答があるまでその状態を維持し、応答が有った場合にはステップＳ２４に進む。
【０１２７】
端末３０は、中継機２０からの情報を取得する（ステップＳ２４）。具体的には、ＣＰＵ３４は、通信部３６を介して中継機２０からの情報を取得する。
【０１２８】
次に、端末３０は、放送データに基づく画像および情報を表示する（ステップＳ２６）。具体的には、ＣＰＵ３４は、表示部３２の第１表示領域３２Ａに放送データに基づく画像を表示するとともに、第２表示領域３２Ｂに取得した情報を表示する。
【０１２９】
そして、処理を終了する（エンド）。
当該表示方式により放送データに基づく画像とともに、当該画像に関連付けられたＩＰデータに基づく情報、例えば外部サーバのサイト等を表示することが可能であるためデジタル放送波を視聴しながら、通信により付加的な情報も取得することが可能である。
【０１３０】
（実施形態５）
上記の実施形態においては、デジタル放送信号にＩＰデータが重畳して放送局から送信されている構成について説明したが、ＩＰデータが重畳されていない場合の形態について説明する。
【０１３１】
図１４は、実施形態５に基づく端末３０の処理の流れを説明するフロー図である。
図１４に示されるように、端末３０は、放送データを受信する（ステップＳ２）。具体的には、端末３０の通信部３６は、中継機２０から送信された放送データを受信する。
【０１３２】
次に、端末３０は、放送データを解析する（ステップＳ５０）。ＣＰＵ３４は、放送データに含まれている文字放送のデータを取得して解析する。
【０１３３】
次に、端末３０は、放送種別を特定および単語を抽出する（ステップＳ５１）。ＣＰＵ３４は、解析結果に基づいて単語（キーワード）を抽出する。複数の単語が抽出される場合には、優先順位の高い単語（キーワード）を抽出するようにしても良い。なお、優先順位は予め格納されている優先順位を決定するテーブル等を用いて決定するようにすればよい。あるいは検索数の多い単語（キーワード）を優先順位が高いと判断するようにしても良い。検索数の多い単語（キーワード）については公知の外部サーバあるいはアプリケーション等に基づいて取得することが可能である。
【０１３４】
なお、本例においては、１つの単語（キーワード）を抽出する場合を例として説明するが、特にこれに限られず複数の単語を抽出するようにしても良い。
【０１３５】
また、抽出される単語に基づいて放送種別（ジャンル）、例えば、ニュース、スポーツ、映画等を特定する。なお、放送種別は、単語によらず放送データに含まれるコードや識別情報により判断することも可能である。
【０１３６】
次に、端末３０は、放送種別に基づくアドレス情報を取得する（ステップＳ５２）。具体的には、ＣＰＵ３４は、特定され放送種別に基づいて予め設定されているアドレス情報（ＵＲＬ）を取得する。
【０１３７】
図１５は、実施形態５に基づく放送種別とＵＲＬとの対応テーブルを説明する図である。
【０１３８】
図１５を参照して、当該対応テーブルは、メモリ３８に格納されているものとする。ここで、複数の放送種別が示されており、各放送種別に対応してＵＲＬが対応付けられて登録されている場合が示されている。
【０１３９】
例えば、「ニュース」、「スポーツ」、「映画」にそれぞれ対応して「○○○」、「△△△」、「×××」が登録されている場合が示されている。
【０１４０】
ＣＰＵ３４は、当該対応テーブルに従って特定された放送種別に対応するアドレス情報（ＵＲＬ）を取得する。
【０１４１】
再び図１４を参照して、端末３０は、取得したアドレス情報および単語を中継機２０に送信する（ステップＳ５３）。ＣＰＵ３４は、通信部３６を介して中継機２０にアドレス情報（ＵＲＬ）および単語を送信する。
【０１４２】
中継機２０は、端末３０からのＩＰデータ（アドレス情報（ＵＲＬ））と単語（キーワード）とに基づいて外部サーバ４０にアクセスし、単語（キーワード）を利用した検索結果となる情報を取得する。たとえば、中継機２０は、検索エンジンを用いた検索結果を取得する。
【０１４３】
次に、端末３０は、中継機２０からの応答が有ったかどうかを判断する（ステップＳ２３）。ＣＰＵ３４は、通信部３６を介して中継機２０からの情報を取得したかどうかを判断する。
【０１４４】
端末３０は、中継機２０からの応答があるまでその状態を維持し、応答が有った場合にはステップＳ２４に進む。
【０１４５】
端末３０は、中継機２０からの情報を取得する（ステップＳ２４）。具体的には、ＣＰＵ３４は、通信部３６を介して中継機２０からの情報を取得する。
【０１４６】
次に、端末３０は、放送データに基づく画像および情報を表示する（ステップＳ２６）。具体的には、ＣＰＵ３４は、表示部３２の第１表示領域３２Ａに放送データに基づく画像を表示するとともに、第２表示領域３２Ｂに取得した情報を表示する。
【０１４７】
そして、処理を終了する（エンド）。
なお、本例においては、端末３０において、１つの単語（キーワード）を抽出する場合について説明したが、複数の単語（キーワード）が抽出される場合には、その候補を表示部３２に表示して、ユーザに選択させるようにしても良い。そして、ユーザが選択した単語（キーワード）とアドレス情報（ＵＲＬ）を中継機２０に送信する。中継機２０は、端末３０からのアドレス情報（ＵＲＬ）と単語（キーワード）とに基づいて外部サーバ４０にアクセスし、単語（キーワード）を利用した検索結果となる情報を取得する。たとえば、中継機２０は、検索エンジンを用いたユーザが選択した単語（キーワード）に対する検索結果を取得する。これによりユーザの好みに応じた検索結果の情報を取得することが可能である。
【０１４８】
当該方式により、デジタル放送信号にＩＰデータが重畳されていない場合であっても上記の実施形態と同様に放送データに基づく画像とともに、当該画像に関連付けられたＩＰデータに基づく情報、例えば外部サーバのサイト等を表示することが可能であるためデジタル放送波を視聴しながら、通信により付加的な情報も取得することが可能である。
【０１４９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１５０】
１  情報表示システム、１０  受信機、１１  アンテナ、１２  チューナ、１４，２４，３４  ＣＰＵ、１６，２６，３６  通信部、２０  中継機、３０  端末、３２  表示部、３２Ａ  第１表示領域、３２Ｂ  第２表示領域、３３  操作部、３８  メモリ、４０  外部サーバ。
【図１】
0006744090.tif 000002
【図２】
0006744090.tif 000003
【図３】
0006744090.tif 000004
【図４】
0006744090.tif 000005
【図５】
0006744090.tif 000006
【図６】
0006744090.tif 000007
【図７】
0006744090.tif 000008
【図８】
0006744090.tif 000009
【図９】
0006744090.tif 000010
【図１０】
0006744090.tif 000011
【図１１】
0006744090.tif 000012
【図１２】
0006744090.tif 000013
【図１３】
0006744090.tif 000014
【図１４】
0006744090.tif 000015
【図１５】
0006744090.tif 000016